(57)【要約】【課題】従来のディテント機構では、コイルスプリングによりスチールボールを押し当てる構造となっているので、操作感覚をソフトにしようとすると柔らかく大きなコイルスプリングが必要となり、機構全体が大きくなってしまう。【解決手段】固定部材４には、往復自在にプランジャ６が取り付けられるとともに、プランジャ６の他端が当接するように板状弾性部材７が取り付けられており、該板状弾性部材７は、プランジャ６がピン２によって第１付勢方向Ｃへ付勢されたときに、該プランジャ６を前記第１付勢方向Ｃとは逆の第２付勢方向Ｄへ付勢する。【選択図】図１
2008117194.tif 000002
【特許請求の範囲】
【請求項１】
基台（１）に形成された軌道溝（１ａ）に沿って往復自在なピン（２）と、
前記軌道溝（１ａ）に隣接して前記基台（１）に固定された固定部材（４）と、
前記固定部材（４）に往復自在に取り付けられるとともに一端（６１）が前記軌道溝（１ａ）に臨んで配置され、前記一端（６１）に前記ピン（２）が当接されることで第１付勢方向（Ｃ）へ付勢されるプランジャ（６）と、
前記プランジャ（６）の他端（６２）に当接されるように前記固定部材（４）に取り付けられ、前記プランジャ（６）が前記ピン（２）によって前記第１付勢方向（Ｃ）へ付勢されたときに、前記第１付勢方向（Ｃ）とは逆の第２付勢方向（Ｄ）へ前記プランジャ（６）を付勢する板状弾性部材（７）と
を備えていることを特徴とするディテント機構。
【請求項２】
前記プランジャ（６）の前記一端（６１）及び前記ピン（２）には、前記ピン（２）が第１移動方向（Ａ）に移動する際に互いに当接される第１プランジャ側部（６１ａ）及び第１ピン側部（２ａ）が設けられるとともに、前記ピン（２）が前記第１移動方向（Ａ）とは逆の第２移動方向（Ｂ）に移動する際に互いに当接される第２プランジャ側部（６１ｂ）及び第２ピン側部（２ｂ）が設けられ、
前記第１及び第２プランジャ側部（６１ａ，６１ｂ）と前記第１及び第２ピン側部（２ａ，２ｂ）との少なくとも一方は、前記ピン（２）の移動量に対する前記プランジャ（６）の移動量が前記ピン（２）の前記移動方向（Ａ，Ｂ）によって異なるように形成されていることを特徴とする請求項１記載のディテント機構。
【請求項３】
前記第１及び第２プランジャ側部（６１ａ，６１ｂ）は、前記第１プランジャ側部（６１ａ）の前記プランジャ（６）の軸方向に対する第１傾斜角度（θ１）が、前記第２プランジャ側部（６１ｂ）の前記プランジャ（６）の軸方向に対する第２傾斜角度（θ２）と異なるように形成されていることを特徴とする請求項２記載のディテント機構。
【発明の詳細な説明】
【技術分野】
【０００１】
本発明は、操作レバー等に取り付けられるディテント機構に関し、特に、プランジャと板状弾性部材とを用いることにより、操作感覚をソフトにした場合でも機構全体が大きくなることを防ぐことができる新規な改良に関するものである。
【背景技術】
【０００２】
従来用いられていたこの種のディテント機構としては、例えば後述の特許文献１のようにコイルスプリングを用いた構成で伸縮用途が一般的である。図示していないが具体的には、利用者によって操作される操作レバーの一端には、側面が円弧状に形成され、前記操作レバーの操作によって回動されるディスクが取り付けられている。ディスクの側面には、ディテント溝が設けられているとともにコイルスプリングによってスチールボールが常に押し当てられており、前記操作レバーの操作によってディスクが回動されディテント溝の位置がスチールボールの位置に達した際に、該ディテント溝にスチールボールが係合されるようになっている。即ち、従来機構での操作感覚は、コイルスプリングの硬さによりソフト及びハードになる。
【０００３】
【特許文献１】特開平１０−３７２３３号公報
【発明の開示】
【発明が解決しようとする課題】
【０００４】
上記のような従来のディテント機構では、コイルスプリングによりスチールボールを押し当てる構造となっているので、操作感覚をソフトにしようとすると柔らかく大きなコイルスプリングが必要となり、機構全体が大きくなってしまう。また、スチールボールを常に押し当てる必要があるので、操作レバーの操作量に対応した広さの面を有するディスクが必要あり、部品の小形化に制限がある。さらに、従来機構ではクリック感を与えるだけで、操作レバーの操作方向までは分からないという問題もある。
【課題を解決するための手段】
【０００５】
本発明に係るディテント機構は、基台に形成された軌道溝に沿って往復自在なピンと、前記軌道溝に隣接して前記基台に固定された固定部材と、前記固定部材に往復自在に取り付けられるとともに一端が前記軌道溝に臨んで配置され、前記一端に前記ピンが当接されることで第１付勢方向へ付勢されるプランジャと、前記プランジャの他端に当接されるように前記固定部材に取り付けられ、前記プランジャが前記ピンによって前記第１付勢方向へ付勢されたときに、前記第１付勢方向とは逆の第２付勢方向へ前記プランジャを付勢する板状弾性部材とを備える。
また、前記プランジャの前記一端及び前記ピンには、前記ピンが第１移動方向に移動する際に互いに当接される第１プランジャ側部及び第１ピン側部が設けられるとともに、前記ピンが前記第１移動方向とは逆の第２移動方向に移動する際に互いに当接される第２プランジャ側部及び第２ピン側部が設けられ、前記第１及び第２プランジャ側部と前記第１及び第２ピン側部との少なくとも一方は、前記ピンの移動量に対する前記プランジャの移動量が前記ピンの前記移動方向によって異なるように形成されている。
また、前記第１及び第２プランジャ側部は、前記第１プランジャ側部の前記プランジャの軸方向に対する第１傾斜角度が、前記第２プランジャ側部の前記プランジャの軸方向に対する第２傾斜角度と異なるように形成されている。
【発明の効果】
【０００６】
本発明のディテント機構によれば、板状弾性部材が第１付勢方向へ付勢されたプランジャを第１付勢方向とは逆の第２付勢方向へ付勢するので、操作感覚をソフトにしたとしてもコイルスプリングを用いる場合に比べて小さな板状弾性部材で済ますことができ、機構全体が大きくなることを防ぐことができる。また、プランジャを何らかの部材に常に押し当てる必要がないので、操作レバーの操作量に対応した広さの面を有するディスクを不要とすることができ、コストを低減できる。
また、前記第１及び第２プランジャ側部と前記第１及び第２ピン側部との少なくとも一方は、前記ピンの移動量に対する前記プランジャの移動量が前記ピンの前記移動方向によって異なるように形成され、詳細には、第１及び第２プランジャ側部は、前記第１プランジャ側部の前記プランジャの軸方向に対する第１傾斜角度が、前記第２プランジャ側部の前記プランジャの軸方向に対する第２傾斜角度と異なるように形成されているので、操作感覚によって操作レバーの操作方向を利用者が感知でき、利用者の利便性を向上できる。
【発明を実施するための最良の形態】
【０００７】
以下、本発明を実施するための最良の形態について、図面を参照して説明する。
実施の形態１．
図１は、本発明の実施の形態１によるディテント機構を示す正面図である。図２は、図１の線ＩＩ−ＩＩに沿う断面図である。図において、基台１には円弧状の軌道溝１ａが設けられており、該軌道溝１ａにはピン２が挿入されている。このピン２は該軌道溝１ａに沿って往復自在に設けられており、利用者による操作レバー（図示せず）の操作に応じて第１及び第２移動方向Ａ，Ｂのいずれか一方に選択的に移動する。
【０００８】
前記基台１には前記軌道溝１ａに隣接して固定部材４が複数本のネジ３により固定されており、該固定部材４には互いに平行な第１及び第２横溝４ａ，４ｂとこれら各横溝４ａ，４ｂに直交する第１縦溝４ｃとが設けられている。固定部材４は、第１縦溝４ｃの延在方向が前記各移動方向Ａ，Ｂと直交するように配置されている。尚、図中の複数本のネジ３のうち、２本が固定部材４の基台１への固定用であり、他の２本は後に説明するカバー５取付用である。
【０００９】
前記固定部材４には、図２に示された（図１では記載を省略している）カバー５と、プランジャ６と、板状のゴムである板状弾性部材７とが取り付けられている。尚、板状弾性部材７として板状のゴムを用いているのは、硬さを変えてもスプリングコイルに比べて大きさが変わりにくいためであり、ピン２及びプランジャ６は耐摩耗性が考慮されて金属製である。プランジャ６の形状は、一端６１が先細り状で他端６２が扁平の略四角柱であり、これら端６１，６２の間には突起部６３が設けられている。該プランジャ６は、第１縦溝４ｃに嵌入されることで前記固定部材４に往復自在に取り付けられ、その一端６１は前記軌道溝１ａに臨んで配置されている。プランジャ６は、その一端６１に前記ピン２が当接されることで第１付勢方向Ｃへ付勢される。突起部６３は、前記第１横溝４ａに挿入されており、プランジャ６の移動を所定範囲内に規制するものである。板状弾性部材７は、前記第２横溝４ｂに嵌入されており、前記他端６２が当接されている。該板状弾性部材７は、前記プランジャ６が前記ピン２によって前記第１付勢方向Ｃへ付勢されたときに、該プランジャ６を前記第１付勢方向Ｃとは逆の第２付勢方向Ｄへ付勢する。
【００１０】
プランジャ６の一端６１及びピン２には、ピン２が第１移動方向Ａに移動する際に互いに当接される第１プランジャ側部６１ａ及び第１ピン側部２ａが設けられるとともに、ピン２が第２移動方向Ｂに移動する際に互いに当接される第２プランジャ側部６１ｂ及び第２ピン側部２ｂが設けられている。これら第１及び第２プランジャ側部６１ａ，６１ｂと第１及び第２ピン側部２ａ，２ｂとの少なくとも一方は、ピン２の移動量に対する前記プランジャ６の移動量がピン２の移動方向Ａ，Ｂによって異なるように形成されている。
【００１１】
次に、図３は、図１のプランジャ６の一端６１の形状を示す説明図である。図において、この実施の形態では、ピン２の移動量に対するプランジャ６の移動量がピン２の移動方向Ａ，Ｂによって異なるようにするために、第１及び第２プランジャ側部６１ａ，６１ｂは、第１プランジャ側部６１ａのプランジャ６の軸方向に対する第１傾斜角度θ１が、第２プランジャ側部６１ａのプランジャ６の軸方向に対する第２傾斜角度θ２と異なるように形成されている。
【００１２】
このようなディテント機構では、板状弾性部材７が第１付勢方向Ｃへ付勢されたプランジャ６を第１付勢方向Ｃとは逆の第２付勢方向Ｄへ付勢するので、操作感覚をソフトにしたとしてもコイルスプリングを用いる場合に比べて小さな板状弾性部材で済ますことができ、機構全体が大きくなることを防ぐことができる。また、プランジャ６を何らかの部材に常に押し当てる必要がないので、操作レバーの操作量に対応した広さの面を有するディスクを不要とすることができ、コストを低減できる。
【００１３】
また、第１及び第２プランジャ側部６１ａ，６１ｂと第１及び第２ピン側部２ａ，２ｂとの少なくとも一方は、ピン２の移動量に対するプランジャ６の移動量がピン２の移動方向Ａ，Ｂによって異なるように形成され、詳細には、第１及び第２プランジャ側部６１ａ，６１ｂは、第１プランジャ側部６１ａのプランジャ６の軸方向に対する第１傾斜角度θ１が、第２プランジャ側部６１ｂのプランジャ６の軸方向に対する第２傾斜角度θ２と異なるように形成されているので、操作感覚によって操作レバーの操作方向を利用者が感知でき、利用者の利便性を向上できる。
【００１４】
尚、実施の形態１では、板状弾性部材７として板状のゴムを用いると説明したが、例えばウェーブワッシャや皿ばね等、その他の板状弾性部材を用いてもよい。
でもよい。
【００１５】
また、実施の形態１では、ピン２の移動量に対するプランジャ６の移動量がピン２の移動方向Ａ，Ｂで異なるようにするために、第１及び第２プランジャ側部６１ａ，６１ｂのプランジャ６の軸方向に対する傾斜角度θ１，θ２が互いに異なるようにすると説明したが、これに加えて、ピンの移動方向に対する第１及び第２ピン側部の傾斜角度を互いに異なるように形成してもよい。また、ピンの移動方向に対する第１及び第２ピン側部の傾斜角度だけを互いに異なるように形成してもよい。
【図面の簡単な説明】
【００１６】
【図１】本発明の実施の形態１によるディテント機構を示す正面図である。
【図２】図１の線ＩＩ−ＩＩに沿う断面図である。
【図３】図１のプランジャ６の一端６１の形状を示す説明図である。
【符号の説明】
【００１７】
２  ピン、２ａ，２ｂ  第１及び第２ピン側部、４  固定部材、６  プランジャ、７  板状弾性部材、６１ａ，６１ｂ  第１及び第２プランジャ側部、６１  ピンの一端、６２  ピンの他端、Ａ，Ｂ  第１及び第２第１及び第２移動方向、Ｃ，Ｄ  第１及び第２付勢方向、θ１，θ２  第１及び第２傾斜角度。
【図１】
2008117194.tif 000003
【図２】
2008117194.tif 000004
【図３】
2008117194.tif 000005